(57)【要約】【課題】  ディスク回転時に不快な騒音を発生させないようにすること。【解決手段】  ローダーシャーシ２内の前方にターンテーブルが配置されると共に、該ローダーシャーシの後方に光ピックアップが配置され、前記ターンテーブルに対向してローダーシャーシ２の両シャーシ側板２Ａ間に横桁１２が架設され、該横桁１２の中央にクランパ１３を一定範囲内昇降可能に収納するクランパ収納部１４が一体形成され、その横桁１２に隣接し光ピックアップに対向して両シャーシ側板２Ａ間に架設される遮蔽板本体１８Ａを有する金属板製遮蔽板１８が設けられており、前記各シャーシ側板２Ａの上面２ａの後端に一体突設されて前記遮蔽板本体１８Ａの後部下面に接触し該遮蔽板本体１８Ａの後部をわずかに押し上げる凸部２９が設けられている。【選択図】        図２
2008269728.tif 000002
【特許請求の範囲】
【請求項１】
ローダーシャーシ内の前方にターンテーブルが配置されると共に、該ローダーシャーシ
の後方に光ピックアップが配置され、前記ターンテーブルに対向してローダーシャーシの
両シャーシ側板間に横桁が架設され、該横桁の中央にクランパを一定範囲内昇降可能に収
納するクランパ収納部が一体形成され、その横桁に隣接し光ピックアップに対向して両シ
ャーシ側板間に架設される遮蔽板本体を有する金属板製遮蔽板が設けられており、前記ク
ランパとターンテーブルとでディスクをクランプし、ターンテーブルによりディスクを高
速回転させると共に、そのディスクに光ピックアップからレーザ光を投射し、その反射光
に基づいてディスクに記録されている情報を読み取るようにしたディスク装置において、
前記各シャーシ側板の上面後端に一体突設されて前記遮蔽板本体の後部下面に接触し該遮
蔽板本体の後部をわずかに押し上げる凸部が設けられていることを特徴とするディスク装
置。
【請求項２】
前記凸部の上面が前方に向かって下向きに傾斜されて、その上面が遮蔽板本体の後部下
面に面接触されていることを特徴とする請求項１に記載のディスク装置
【請求項３】
前記各シャーシ側板に所定間隔をおいて複数のロック杆が一体突設されると共に、該各
ロック杆の上部が各シャーシ側板の上面から上方に突出され、その各ロック杆の外側面が
各シャーシ側板の上面と外側面との間の外側角部よりもローダーシャーシの中央側に後退
され、前記各ロック杆に対向して遮蔽板本体の両側縁に一体突設された弾性変位可能な複
数の突出板が設けられ、該各突出板から遮蔽板本体にかけて嵌合孔が貫設され、該各嵌合
孔の突出板側の内周縁に舌片が一体突設され、前記各突出板が斜め下向きに所定の傾斜角
度で折り曲げられることにより、各舌片が斜め上向きに傾斜されており、各嵌合孔を各ロ
ック杆に遊嵌合させて遮蔽板本体を両シャーシ側板上に載置することにより、各突出板が
各シャーシ側板の外側角部に押し付けられて外向きに弾性変位され、それに連動して各舌
片が内向きに弾性変位されて該各舌片の先端縁が各ロック杆の外側面に圧接されているこ
とを特徴とする請求項１または２に記載のディスク装置。
【請求項４】
前記各突出板の傾斜角度が遮蔽板本体に対して直交する仮想線から１５°〜３５°（好
ましくは２０°〜２５°）に設定されていることを特徴とする請求項３に記載のディスク
装置。
【請求項５】
前記各ロック杆の上端部に抜止フックが一体突設されていることを特徴とする請求項３
または４に記載のディスク装置。
【請求項６】
前記遮蔽板本体の前端縁中央に一体突設したクランパ押さえ板の先端に対向してクラン
パ収納部に係合孔が形成されており、該係合孔にクランパ押さえ板の先端を弾性変位させ
て嵌入させていることを特徴とする請求項３〜５のいずれかに記載のディスク装置。
【請求項７】
ローダーシャーシ内の前方にターンテーブルが配置されると共に、該ローダーシャーシ
の後方に光ピックアップが配置され、前記ターンテーブルに対向してローダーシャーシの
両シャーシ側板間に横桁が架設され、該横桁の中央にクランパを一定範囲内昇降可能に収
納するクランパ収納部が一体形成され、その横桁に隣接し光ピックアップに対向して両シ
ャーシ側板間に架設される遮蔽板本体を有する金属板製遮蔽板が設けられており、前記ク
ランパとターンテーブルとでディスクをクランプし、ターンテーブルによりディスクを高
速回転させると共に、そのディスクに光ピックアップからレーザ光を投射し、その反射光
に基づいてディスクに記録されている情報を読み取るようにしたディスク装置において、
前記各シャーシ側板の上面後端に一体突設されて前記遮蔽板本体の後部下面に接触し該遮
蔽板本体の後部をわずかに押し上げる凸部が設けられ、前記各シャーシ側板に所定間隔を
おいて複数のロック杆が一体突設されると共に、該各ロック杆の上部が各シャーシ側板の
上面から上方に突出され、その各ロック杆の外側面が各シャーシ側板の上面と外側面との
間の外側角部よりもローダーシャーシの中央側に後退され、前記各ロック杆に対向して遮
蔽板本体の両側縁に一体突設された弾性変位可能な複数の突出板が設けられ、該各突出板
から遮蔽板本体にかけて嵌合孔が貫設され、該各嵌合孔の突出板側の内周縁に舌片が一体
突設され、前記各突出板が斜め下向きに所定の傾斜角度で折り曲げられることにより、各
舌片が斜め上向きに傾斜されており、各嵌合孔を各ロック杆に遊嵌合させて遮蔽板本体を
両シャーシ側板上に載置することにより、各突出板が各シャーシ側板の外側角部に押し付
けられて外向きに弾性変位され、それに連動して各舌片が内向きに弾性変位されて該各舌
片の先端縁が各ロック杆の外側面に圧接され、前記各突出板の傾斜角度が遮蔽板本体に対
して直交する仮想線から１５°〜３５°（好ましくは２０°〜２５°）に設定され、前記
各ロック杆の上端部に抜止フックが一体突設され、前記遮蔽板本体の前端縁中央に一体突
設したクランパ押さえ板の先端に対向してクランパ収納部に係合孔が形成されており、該
係合孔にクランパ押さえ板の先端を弾性変位させて嵌入させていることを特徴とするディ
スク装置。
【発明の詳細な説明】
【技術分野】
【０００１】
本発明は、ディスク装置（例えばＤＶＤレコーダやＤＶＤプレーヤなど）に関し、特に
、ディスク回転時に不快な騒音を発生させないようにしたものである。
【背景技術】
【０００２】
従来、ディスク装置の一例として図９〜図１３に示すものがあり、図９は同平面図、図
１０は同側面図、図１１は同縦断面図、図１２（ａ）は同要部の分解斜視図、図１２（ｂ
）は同要部の側面図、図１３は同遮蔽板の取付手順を示す横断面図である。
【０００３】
図９及び図１１に示すように、ディスクＤ載置用トレイ１を前後方向ａ，ｂに移動可能
に支持する合成樹脂製ローダーシャーシ２内に枢支軸３を中心に上下動ｃ，ｄ可能なトラ
バースシャーシ４が配置され、該トラバースシャーシ４上の後方にガイドレール５を介し
て対物レンズＯＬ付き光ピックアップ６が移動可能に配置されると共に、そのトラバース
シャーシ４上の前方にターンテーブル７付きスピンドルモータ８が配置され、ローダーシ
ャーシ２の前部にカムスライダ９が前後方向ａ，ｂとは直交する左右方向ｅ，ｆに移動可
能に配置されると共に、該カムスライダ９のカム溝１０にトラバースシャーシ４の前面に
突設したカムピン１１が嵌入され、ローダーシャーシ２の両シャーシ側板２Ａ間に横桁１
２が架設され、該横桁１２の中央にクランパ１３を収納するクランパ収納部１４が一体形
成されている。
【０００４】
図１２に示すように、各シャーシ側板２Ａの上面２ａに所定間隔をおいて複数（この例
では２本ずつ）のロック杆１５が一体突設され、その各ロック杆１５の外側面１５ａが各
シャーシ側板２Ａの外側面２ｂと面一状に形成され、各ロック杆１５の上端部に抜止フッ
ク１６が外向きに一体突設されている。
【０００５】
図９及び図１０に示すように、横桁１２に隣接し光ピックアップ６に対向して両シャー
シ側板２Ａ間に架設される遮蔽板本体１８Ａと、該遮蔽板本体１８Ａの両側縁から直角に
下向きに折り曲げられた一対の側板１８Ｂとをを有する金属板製遮蔽板１８が設けられ、
各側板１８Ｂがその中央に形成した切欠溝１９により前後に２分割され、各ロック杆１５
に対向して各側板１８Ｂから遮蔽板本体１８Ａにかけて嵌合孔２０が貫設され、該嵌合孔
２０の側板１８Ｂ側の内周縁に舌片２１が一体突設され、該各舌片２１が各側板１８Ｂと
面一状に形成されている。また、遮蔽板本体１８Ａの前端縁中央に一体突設した略Ｌ字状
クランパ押さえ板１８Ｃがクランパ収納部１４の側面から上面に沿って前方に向けて延ば
されている。
【０００６】
情報読取手順を説明すると、図１１に実線で示すプレイモードでは、ディスクＤをクラ
ンパ１３とターンテーブル７とでクランプしており、スピンドルモータ８によりターンテ
ーブル７を介してディスクＤを高速回転させ、光ピックアップ６を駆動することにより、
対物レンズＯＬからレーザ光をディスクＤに投射し、その反射光を対物レンズＯＬを通し
て受光し、ディスクＤに記録されている映像情報の再生や録画を行う。
【０００７】
このプレイモードでは、遮蔽板１８により対物レンズＯＬから投射されるレーザ光が外
部に漏れるのを遮断する。
【０００８】
アンローディング信号が入力されると、スピンドルモータ８の駆動を停止させ、光ピッ
クアップ６を最前方ａ位置まで移動させ、カムスライダ９を左方向ｅ（または右方向ｆ）
にスライドさせることにより、カム溝１０及びカムピン１１を介してトラバースシャーシ
４を枢支軸３回りで下動ｄさせ（図１１仮想線参照）、これにより、ディスクＤをトレイ
１上に載置し、該トレイ１を前方ａへ移動させ（図１１仮想線参照）、そのトレイ１上の
ディスクＤを取り外したり新しいディスクＤを載置した後、ローディング信号に基づいて
上記とは逆の手順でプレイモードに戻す。
【０００９】
遮蔽板１８の取付手順を図１３に基づいて説明すると、作業員が把持した遮蔽板１８を
ローダーシャーシ２の上方から下降させることにより（図１３の１点鎖線参照）、各側板
１８Ｂを各ロック杆１５の抜止フック１６に強く押し付け（図１３の２点鎖線参照）、該
各側板１８Ｂを弾性変位させて各抜止フック１６の外側を通過させ、その通過後、各側板
１８Ｂを元の状態に戻してシャーシ側板２Ａの外側面２ｂに接近させると共に、遮蔽板本
体１８Ａを両シャーシ側板２Ａ上に載置させる（図１３の実線参照）。また、遮蔽板１８
をローダーシャーシ２から取り外す場合には、上記とは逆の手順で行えばよい。なお、関
連する技術として特許文献１に記載したものがある。
【特許文献１】特開２００５−３３２５３６号公報
【発明の開示】
【発明が解決しようとする課題】
【００１０】
上記従来の構成では、各抜止フック１６により遮蔽板１８がローダーシャーシ２から外
れないようにしているだけであり、図１２（ｂ）に示すように、その各抜止フック１６と
舌片２１との間に隙間ｉが生じているから、プレイモードでスピンドルモータ８を高速駆
動することにより生じた回転力がローダーシャーシ２を介して遮蔽板本体１８Ａに伝わる
ことにより、その遮蔽板本体１８Ａの後部が微妙に振動して騒音を発生させ、ユーザに不
快感を与えていた（図１０及び図１１の仮想線参照）。
【００１１】
本発明は、上記従来の欠点に鑑み、ディスク回転時に不快な騒音を発生させないように
したディスク装置を提供することを目的としている。
【課題を解決するための手段】
【００１２】
上記目的を達成するため、請求項１に記載の発明は、ローダーシャーシ内の前方にター
ンテーブルが配置されると共に、該ローダーシャーシの後方に光ピックアップが配置され
、前記ターンテーブルに対向してローダーシャーシの両シャーシ側板間に横桁が架設され
、該横桁の中央にクランパを一定範囲内昇降可能に収納するクランパ収納部が一体形成さ
れ、その横桁に隣接し光ピックアップに対向して両シャーシ側板間に架設される遮蔽板本
体を有する金属板製遮蔽板が設けられており、前記クランパとターンテーブルとでディス
クをクランプし、ターンテーブルによりディスクを高速回転させると共に、そのディスク
に光ピックアップからレーザ光を投射し、その反射光に基づいてディスクに記録されてい
る情報を読み取るようにしたディスク装置において、前記各シャーシ側板の上面後端に一
体突設されて前記遮蔽板本体の後部下面に接触し該遮蔽板本体の後部をわずかに押し上げ
る凸部が設けられていることを特徴としている。
【００１３】
請求項２に記載の発明は、請求項１に記載の発明において、前記凸部の上面が前方に向
かって下向きに傾斜されて、その上面が遮蔽板本体の後部下面に面接触されていることを
特徴としている。
【００１４】
請求項３記載の発明は、請求項１または２に記載の発明において、前記各シャーシ側板
に所定間隔をおいて複数のロック杆が一体突設されると共に、該各ロック杆の上部が各シ
ャーシ側板の上面から上方に突出され、その各ロック杆の外側面が各シャーシ側板の上面
と外側面との間の外側角部よりもローダーシャーシの中央側に後退され、前記各ロック杆
に対向して遮蔽板本体の両側縁に一体突設された弾性変位可能な複数の突出板が設けられ
、該各突出板から遮蔽板本体にかけて嵌合孔が貫設され、該各嵌合孔の突出板側の内周縁
に舌片が一体突設され、前記各突出板が斜め下向きに所定の傾斜角度で折り曲げられるこ
とにより、各舌片が斜め上向きに傾斜されており、各嵌合孔を各ロック杆に遊嵌合させて
遮蔽板本体を両シャーシ側板上に載置することにより、各突出板が各シャーシ側板の外側
角部に押し付けられて外向きに弾性変位され、それに連動して各舌片が内向きに弾性変位
されて該各舌片の先端縁が各ロック杆の外側面に圧接されていることを特徴としている。
【００１５】
請求項４に記載の発明は、請求項３に記載の発明において、前記各突出板の傾斜角度が
遮蔽板本体に対して直交する仮想線から１５°〜３５°（好ましくは２０°〜２５°）に
設定されていることを特徴としている。
【００１６】
請求項５に記載の発明によれば、請求項３または４に記載の発明において、前記各ロッ
ク杆の上端部に抜止フックが一体突設されていることを特徴としている。
【００１７】
請求項６に記載の発明は、請求項３〜５のいずれかに記載の発明において、前記遮蔽板
本体の前端縁中央に一体突設したクランパ押さえ板の先端に対向してクランパ収納部に係
合孔が形成されており、該係合孔にクランパ押さえ板の先端を弾性変位させて嵌入させて
いることを特徴としている。
【００１８】
請求項７に記載の発明は、ローダーシャーシ内の前方にターンテーブルが配置されると
共に、該ローダーシャーシの後方に光ピックアップが配置され、前記ターンテーブルに対
向してローダーシャーシの両シャーシ側板間に横桁が架設され、該横桁の中央にクランパ
を一定範囲内昇降可能に収納するクランパ収納部が一体形成され、その横桁に隣接し光ピ
ックアップに対向して両シャーシ側板間に架設される遮蔽板本体を有する金属板製遮蔽板
が設けられており、前記クランパとターンテーブルとでディスクをクランプし、ターンテ
ーブルによりディスクを高速回転させると共に、そのディスクに光ピックアップからレー
ザ光を投射し、その反射光に基づいてディスクに記録されている情報を読み取るようにし
たディスク装置において、前記各シャーシ側板の上面後端に一体突設されて前記遮蔽板本
体の後部下面に接触し該遮蔽板本体の後部をわずかに押し上げる凸部が設けられ、前記各
シャーシ側板に所定間隔をおいて複数のロック杆が一体突設されると共に、該各ロック杆
の上部が各シャーシ側板の上面から上方に突出され、その各ロック杆の外側面が各シャー
シ側板の上面と外側面との間の外側角部よりもローダーシャーシの中央側に後退され、前
記各ロック杆に対向して遮蔽板本体の両側縁に一体突設された弾性変位可能な複数の突出
板が設けられ、該各突出板から遮蔽板本体にかけて嵌合孔が貫設され、該各嵌合孔の突出
板側の内周縁に舌片が一体突設され、前記各突出板が斜め下向きに所定の傾斜角度で折り
曲げられることにより、各舌片が斜め上向きに傾斜されており、各嵌合孔を各ロック杆に
遊嵌合させて遮蔽板本体を両シャーシ側板上に載置することにより、各突出板が各シャー
シ側板の外側角部に押し付けられて外向きに弾性変位され、それに連動して各舌片が内向
きに弾性変位されて該各舌片の先端縁が各ロック杆の外側面に圧接され、前記各突出板の
傾斜角度が遮蔽板本体に対して直交する仮想線から１５°〜３５°（好ましくは２０°〜
２５°）に設定され、前記各ロック杆の上端部に抜止フックが一体突設され、前記遮蔽板
本体の前端縁中央に一体突設したクランパ押さえ板の先端に対向してクランパ収納部に係
合孔が形成されており、該係合孔にクランパ押さえ板の先端を弾性変位させて嵌入させて
いることを特徴としている。
【発明の効果】
【００１９】
請求項１に記載の発明によれば、凸部により遮蔽板本体の後部がわずかに押し上げられ
ており、ディスクを高速回転させることにより生じた振動がローダーシャーシを介して遮
蔽板本体に伝わると、その振動により遮蔽板本体の後部が凸部との接点を中心にわずかに
上下に弾性変位して振動が吸収されるので、遮蔽板本体の後部が従来のように振動して騒
音を発生させることがなく、ユーザーに不快感を与えず、商品価値が高い。
【００２０】
請求項２に記載の発明によれば、遮蔽板本体の後部下面が凸部の傾斜状上面により面接
触で安定的に支持されているから、その遮蔽板本体の振動を一層確実に吸収することがで
きる。
【００２１】
請求項３に記載の発明によれば、各突出板が各シャーシ側板の外側角部に押し付けられ
て外向きに弾性変位され、それに連動して各舌片が内向きに弾性変位されて該各舌片の先
端縁が各ロック杆の外側面に圧接されており、ディスクを高速回転させることにより生じ
た振動がローダーシャーシを介して遮蔽板本体に伝わると、その振動が各突出板及び各舌
片の弾性変位により吸収されるから、その遮蔽板本体の前部が振動して騒音を発生させる
ことがなく、ユーザーに不快感を与えず、商品価値が高い。
【００２２】
請求項４に記載の発明において、各突出板の傾斜角度が遮蔽板本体に対して直交する仮
想線から１５°未満の場合には、該各突出板が起立姿勢に近いから、遮蔽板をローダーシ
ャーシに取り付ける際に、各突出板を各ロック杆に強く押し付けて該各突出板を比較的大
きく弾性変位させる必要があり、また、各突出板の傾斜角度が３５°を超える場合には、
該各突出板が横倒し姿勢に近いから、遮蔽板をローダーシャーシから取り外す際に、上記
と逆の手順で各突出板を比較的大きく弾性変位させる必要があり、いずれにしても作業員
に過大な労力を強いることになり、作業能率が低い。
【００２３】
そこで、本発明では、各突出板の傾斜角度が遮蔽板本体に対して直交する仮想線から１
５°〜３５°（好ましくは２０°〜２５°）に設定されており、遮蔽板をローダーシャー
シに取り付ける場合に、各突出板を各ロック杆に押し付けて該各突出板を比較的小さく弾
性変位させるだけで、各嵌合孔をロック杆に遊嵌合させて遮蔽板本体を両シャーシ側板上
に載置することがことができ、また、遮蔽板をローダーシャーシから取り外す場合にも、
上記と逆の手順で各突出板を比較的小さく弾性変位させるだけでよいから、作業員に過大
な労力を強いることがなく、その着脱作業を能率良く行うことができる。
【００２４】
請求項５に記載の発明によれば、各ロック杆の上端部に抜止フックが一体突設されてい
るから、例えば落下などの過大な衝撃力がかかったとしても、各抜止フックに各舌片が引
っ掛かるので、遮蔽板がローダーシャーシに取り付けられた状態を確実に維持することが
できる。
【００２５】
請求項６に記載の発明によれば、遮蔽板本体の前端縁中央に一体突設したクランパ押さ
え板の先端を弾性変位させてクランパ収納部の係合孔に嵌入させているので、そのクラン
パ押さえ板が振動して騒音を発生させるのを確実に阻止することができる。
【００２６】
請求項７に記載の発明は、実施の一形態（図１〜図７参照）に対応するものであって、
これによれば、各突出板が各シャーシ側板の外側角部に押し付けられて外向きに弾性変位
され、それに連動して各舌片が内向きに弾性変位されて該各舌片の先端縁が各ロック杆の
外側面に圧接されており、ディスクを高速回転させることにより生じた振動がローダーシ
ャーシを介して遮蔽板本体の前部に伝わると、その振動が各突出板及び各舌片の弾性変位
により吸収されるから、その遮蔽板本体の前部が振動して騒音を発生させることがなく、
ユーザーに不快感を与えず、商品価値が高い。
【００２７】
また、凸部により遮蔽板本体の後部がわずかに押し上げられており、遮蔽板本体に伝わ
った振動により該遮蔽板本体の後部が凸部との接点を中心にわずかに上下に弾性変位して
振動が吸収されるので、その遮蔽板本体の後部が従来のように振動して騒音を発生させる
ことがなく、ユーザーに不快感を与えず、商品価値が高い。
【００２８】
更に、各突出板の傾斜角度が遮蔽板本体に対して直交する仮想線から１５°未満の場合
には、該各突出板が起立姿勢に近いから、遮蔽板をローダーシャーシに取り付ける際に、
各突出板を各ロック杆に強く押し付けて該各突出板を比較的大きく弾性変位させる必要が
あり、また、各突出板の傾斜角度が３５°を超える場合には、該各突出板が横倒し姿勢に
近いから、遮蔽板をローダーシャーシから取り外す際に、上記と逆の手順で各突出板を比
較的大きく弾性変位させる必要があり、いずれにしても作業員に過大な労力を強いること
になり、作業能率が低い。
【００２９】
そこで、本発明では、各突出板の傾斜角度が遮蔽板本体に対して直交する仮想線から１
５°〜３５°（好ましくは２０°〜２５°）に設定されており、遮蔽板をローダーシャー
シに取り付ける場合に、各突出板を各ロック杆に押し付けて該各突出板を比較的小さく弾
性変位させるだけで、各嵌合孔をロック杆に遊嵌合させて遮蔽板本体を両シャーシ側板上
に載置することがことができ、また、遮蔽板をローダーシャーシから取り外す場合にも、
上記と逆の手順で各突出板を比較的小さく弾性変位させるだけでよいから、作業員に過大
な労力を強いることがなく、その着脱作業を能率良く行うことができる。
【００３０】
また更に、各ロック杆の上端部に抜止フックが一体突設されているから、例えば落下な
どの過大な衝撃力がかかったとしても、その各抜止フックに各舌片が引っ掛かるので、遮
蔽板がローダーシャーシに取り付けられた状態を確実に維持することができる。
【００３１】
しかも、遮蔽板本体の前端縁中央に一体突設したクランパ押さえ板の先端を弾性変位さ
せてクランパ収納部の係合孔に嵌入させているので、そのクランパ押さえ板が振動して騒
音を発生させるのを確実に阻止することができる。
【発明を実施するための最良の形態】
【００３２】
図１〜図７は本発明の実施の一形態であるディスク装置を示すものであり、図１は同平
面図、図２は同側面図、図３は同斜視図、図４（ａ）は同遮蔽板前部付近における要部の
分解斜視図、図４（ｂ）は同要部の側面図、図５は同遮蔽板の取付手順を示す横断面図、
図６（ａ）は同遮蔽板の固定直前状態を示す要部の拡大横断面図、図６（ｂ）は同遮蔽板
の固定状態を示す要部の拡大横断面図、図７（ａ）は同ローダーシャーシ後部付近におけ
る要部の斜視図、図７（ｂ）は同要部の側面図である。
【００３３】
図１〜図５に示すように、各ロック杆１５に対向して遮蔽板本体１８Ａの両側縁に弾性
変位可能な複数の突出板１８Ｄが一体突設され、該各突出板１８Ｄから遮蔽板本体１８Ａ
にかけて嵌合孔２０が貫設され、該各嵌合孔２０の突出板１８Ｄ側の内周縁に舌片２１が
一体突設され、前記各突出板１８Ｄが斜め下向きに所定の傾斜角度αで折り曲げられるこ
とにより、各舌片２１が斜め上向きに傾斜されている。
【００３４】
図４及び図６に示すように、各ロック杆１５の上部が各シャーシ側板２Ａの上面２ａか
ら上方に突出されると共に、該各ロック杆１５の前後両面に沿ってシャーシ側板２Ａの上
面２ａに一対の凹溝２３を形成することにより、その各ロック杆１５の高さｈが従来（図
１２参照）に比べて長尺に設定されている。
【００３５】
また、各シャーシ側板２Ａの両凹溝２３間の内外両側面に凹段部２４が形成され、それ
に対応して各ロック杆１５の厚さｔが小さく設定されており、これによって、各ロック杆
１５が弾性可能に形成されている〔図６（ａ）の仮想線参照〕。
【００３６】
更に、各ロック杆１５の外側面１５ａが各シャーシ側板２Ａの上面２ａと外側面２ｂと
の間の外側角部２５よりもローダーシャーシ２の中央側に所定間隔ｊだけ後退されている
（図５参照）。
【００３７】
図５に示すように、遮蔽板本体１８Ａの横断方向に沿って対向する両突出板１８Ｄと該
遮蔽板本体１８Ａとの間に形成される２つの内側角部２６間の間隔Ｌ１を両シャーシ側板
２Ａの２つの外側角部２５間の間隔Ｌ２よりもわずかに小さく設定しており（Ｌ１＜Ｌ２
）、これによって、遮蔽板１８をローダーシャーシ２に被せたときに、各突出板１８Ｄが
各外側角部２５に当接される〔図６（ａ）参照〕。上記以外の構成は図９〜図１３に示す
従来例とほぼ同じであるから、同一部分に同一符号を付してその説明を省略する。
【００３８】
遮蔽板１８の取付手順を図５及び図６に基づいて説明すると、作業員が把持した遮蔽板
１８をローダーシャーシ２の上方から下降させることにより（図５の１点鎖線参照）、各
突出板１８Ｄを各ロック杆１５の抜止フック１６に押し付けることにより（図５の２点鎖
線参照）、該各突出板１８Ｄを弾性変位させて各抜止フック１６の外側を通過させ、その
通過後、各突出板１８Ｄを元の状態に戻して各外側角部２５に当接させ、図６（ａ）に示
すように、遮蔽板本体１８Ａを下向きに押圧Ｐする。これにより、各突出板１８Ｄが外側
角部２５に押し付けられて外向きｋに弾性変位され、それに連動して各舌片２１が内向き
ｍに弾性変位されて該各舌片２１の先端縁２１ａが各ロック杆１５の外側面１５ａに圧接
され、各ロック杆１５もわずかに弾性変位して、その各ロック杆１５の外側面１５ａと各
舌片２１の先端縁２１ａとが互いに押し合って圧接され、遮蔽板本体１８Ａが両シャーシ
側板２Ａの上面２ａに載置される〔図５の実線及び図６（ｂ）参照〕。
【００３９】
上記構成によれば、各突出板１８Ｄが各シャーシ側板２Ａの外側角部２５に押し付けら
れて外向きに弾性変位され、それに連動して各舌片２１が内向きに弾性変位されて該各舌
片２１の先端縁２１ａが各ロック杆１５の外側面１５ａに圧接されており、ディスクＤを
高速回転させることにより生じた振動がローダーシャーシ２を介して遮蔽板本体１８Ａに
伝わると、その伝わった振動が各突出板１８Ｄ及び各舌片２１の弾性変位により吸収され
るから、その遮蔽板本体１８Ａの前部が従来のように振動して騒音を発生させることがな
く、ユーザーに不快感を与えず、商品価値が高い。
【００４０】
また、各ロック杆１５の上端部に抜止フック１６が一体突設されているから、例えば落
下などの過大な衝撃力がかかったとしても、その各抜止フック１６に各舌片２１が引っ掛
かるので、遮蔽板１８がローダーシャーシ２に取り付けられた状態を確実に維持すること
ができる。
【００４１】
図５に基づいて各突出板１８Ｄの傾斜角度αを説明すると、その傾斜角度αが遮蔽板本
体１８Ａに対して直交する仮想線Ｓから１５°未満の場合には、該各突出板１８Ｄが起立
姿勢に近くて、従来例の側板１８Ｂ（図１３参照）と姿勢があまり変わらないから、遮蔽
板１８をローダーシャーシ２に取り付ける際に、各突出板１８Ｄを各ロック杆１５に強く
押し付けて該各突出板１８Ｄを比較的大きく弾性変位させる必要があり、また、各突出板
１８Ｄの傾斜角度αが３５°を超える場合には、該各突出板１８Ｄが横倒し姿勢に近いか
ら、遮蔽板１８をローダーシャーシ２から取り外す際に、上記と逆の手順で各突出板１８
Ｄを比較的大きく弾性変位させる必要があり、いずれにしても作業員に過大な労力を強い
ることになり、作業能率が低い。
【００４２】
そこで、本発明の実施の一形態では、各突出板１８Ｄの傾斜角度αが１５°〜３５°（
好ましくは２０°〜２５°）に設定されており、遮蔽板１８をローダーシャーシ２に取り
付ける場合に、各突出板１８Ｄを各ロック杆１５に押し付けて該各突出板１８Ｄを比較的
小さく弾性変位させるだけで、各嵌合孔２０を各ロック杆１５に遊嵌合させて遮蔽板本体
１８Ａを両シャーシ側板２Ａ上に載置することがことができ〔図５の実線及び図６（ｂ）
参照〕、また、遮蔽板１８をローダーシャーシ２から取り外す場合にも、ロック杆１５の
外側面１５ａに圧接する舌片２１の先端縁２１ａと抜止フック１６との間に比較的大きな
隙間ｎが確保されているから〔図６（ｂ）参照〕、上記と逆の手順で各突出板１８Ｄを比
較的小さく弾性変位させるだけで簡単に取り外すことができ、作業員に過大な労力を強い
ることがなく、その着脱作業を能率良く行うことができる。
【００４３】
図１及び図２に示すように、遮蔽板本体１８Ａの前端縁中央に一体突設したクランパ押
さえ板１８Ｃの先端に対向してクランパ収納部１４に係合孔２７が形成されており、クラ
ンパ押さえ板１８Ｃの先端をわずかの間隔βであるが弾性変位させて係合孔２７に嵌入さ
せることにより、そのクランパ押さえ板１８Ｃが振動して騒音を発生させるのを確実に阻
止することができる。
【００４４】
図２及び図７（ａ）（ｂ）に示すように、前記各シャーシ側板２Ａの上面２ａの後端に
一体突設されて遮蔽板本体１８Ａの後部下面に接触し該遮蔽板本体１８Ａの後部をわずか
に押し上げる所定高さｇ（例えば０．５〜２ｍｍ）の凸部２９が設けられている。
【００４５】
上記構成によれば、各舌片２１の先端縁２１ａを各ロック杆１５の外側面１５ａに圧接
させることにより、遮蔽板本体１８Ａの前部がローダーシャーシ２に固定された状態で（
図５参照）、凸部２９により遮蔽板本体１８Ａの後部がわずかの間隔ｒだけ押し上げられ
て弾性変位されており、その遮蔽板本体１８Ａの後部に下向きの弾性力Ｆが発生している
ので、ディスクＤを高速回転させることにより生じた振動がローダーシャーシ２を介して
遮蔽板１８に伝わると、その振動により遮蔽板本体１８Ａの後部が凸部２９との接点を中
心にわずかに上下に弾性変位して振動が吸収されるので、遮蔽板本体１８Ａの後部が従来
のように振動して騒音を発生させることがなく、ユーザーに不快感を与えず、商品価値が
高い。
【００４６】
図８は本発明の実施の他の形態を示すものであって、図８（ａ）は同ローダーシャーシ
後部付近における要部の斜視図、図８（ｂ）は同要部の側面図である。
【００４７】
図８（ａ）及び（ｂ）に示すように、凸部２９の上面２９ａが前方に向かって下向きに
所定の傾斜角度θ（例えば１〜５°）で傾斜されて、その上面２ａが遮蔽板本体１８Ａの
後部下面に面接触されている。
【００４８】
上記構成によれば、遮蔽板本体１８Ａが凸部２９の傾斜状上面２９ａにより面接触で安
定的に支持されているから、その遮蔽板本体１８Ａの振動を一層確実に吸収することがで
きる。
【００４９】
上記実施の形態では、図１〜図６に示すように、各舌片２１と各ロック杆１５との組合
せで遮蔽板本体１８Ａの前部をローダーシャーシ２に固定する場合を例にあげて、これに
図７または図８に示す構成を追加したが、これに限定されるわけではなく、図９〜図１３
に示すように、各側板１８Ｂと各抜止フック１６との組合せで遮蔽板本体１８Ａの前部を
ローダーシャーシ２に固定する場合において、これに図７または図８に示す構成を追加す
ることにも適用される。
【図面の簡単な説明】
【００５０】
【図１】本発明の実施の一形態であるディスク装置を示す同平面図である。
【図２】同側面図である。
【図３】同斜視図である。
【図４】（ａ）は同遮蔽板前部付近における要部の分解斜視図、（ｂ）は同要部の側面図である。
【図５】同遮蔽板の取付手順を示す横断面図である。
【図６】（ａ）は同遮蔽板の固定直前状態を示す要部の拡大横断面図、（ｂ）は同遮蔽板の固定状態を示す要部の拡大横断面図である。
【図７】（ａ）は同ローダーシャーシ後部付近における要部の斜視図、（ｂ）は同要部の側面図である。
【図８】（ａ）は本発明の実施の他の形態であって、ローダーシャーシ後部付近における要部の斜視図、（ｂ）は同要部の側面図である。
【図９】従来例を示す平面図である。
【図１０】同側面図である。
【図１１】同縦断面図である。
【図１２】（ａ）は同要部の分解斜視図、（ｂ）は同要部の側面図である。
【図１３】同遮蔽板の取付手順を示す横断面図である。
【符号の説明】
【００５１】
２          ローダーシャーシ
２Ａ        シャーシ側板
６          光ピックアップ
７          ターンテーブル
１２        横桁
１３        クランパ
１４        クランパ収納部
１５        ロック杆
１５ａ      ロック杆の外側面
１６        抜止フック
１８        遮蔽板
１８Ａ      遮蔽板本体
１８Ｃ      クランパ押さえ板
１８Ｄ      突出板
２０        嵌合孔
２１        舌片
２５        外側角部
２７        係合孔
２９        凸部
２９ａ      凸部の上面
α          突出板の傾斜角度
Ｓ          仮想線
【図１】
2008269728.tif 000003
【図２】
2008269728.tif 000004
【図３】
2008269728.tif 000005
【図４】
2008269728.tif 000006
【図５】
2008269728.tif 000007
【図６】
2008269728.tif 000008
【図７】
2008269728.tif 000009
【図８】
2008269728.tif 000010
【図９】
2008269728.tif 000011
【図１０】
2008269728.tif 000012
【図１１】
2008269728.tif 000013
【図１２】
2008269728.tif 000014
【図１３】
2008269728.tif 000015